(57)【要約】【課題】簡易な構成であって、物流、陳列及び家庭での保管に優れる保形性の高いガセット袋を提供する。【解決手段】積層フィルムからなり、正面部と、背面部と、前記正面部と前記背面部との間に内側に折り込み可能に形成された一対の側面折り込み部とからなる胴部を備え、自立させた状態で上端取り出し口を開口して収容物を取り出し可能にするガセット袋であって、前記胴部の途中領域に、略水平方向に延在する張出し片を少なくとも胴部の対向する一対の面に形成してなるガセット袋である。【選択図】図１
2008068913.tif 000002
【特許請求の範囲】
【請求項１】
積層フィルムからなり、正面部と、背面部と、前記正面部と前記背面部との間に内側に折り込み可能に形成された一対の側面折り込み部とからなる胴部を備え、自立させた状態で上端取り出し口を開口して収容物を取り出し可能にするガセット袋であって、前記胴部の途中領域に、略水平方向に延在する張出し片を少なくとも胴部の対向する一対の面に形成してなるガセット袋。
【請求項２】
前記張出し片を胴部全周に設けてなる請求項１記載のガセット袋。
【請求項３】
前記張出し片によって分割されるガセット袋の開口部側と底部側において、積層フィルムの材質が異なる請求項２記載のガセット袋。
【発明の詳細な説明】
【技術分野】
【０００１】
本発明は、食品、洗剤、化粧品又はトイレタリー品等の、粉体、粒体又は液体を収容するガセット袋に関し、特に、簡易な構成で保形性の高いガセット袋に関する。
【背景技術】
【０００２】
ガセット袋は、一枚又は複数枚のシート材料から形成される、前後一対の正面部と、これらの正面部の内側に折り込み可能な左右一対の側面折り込み部とを備える袋であって、側面折り込み部を折り込んで平坦に折り畳まれている状態から、開口部付近の折り込み部分を開いて矩形形状の上端開口を形成し、この上端開口から内部に種々の収容物を収容できるようになっている。
【０００３】
これらのガセット袋は、例えば粉状又は粒状の食品や洗剤等を収容物として収容した状態で製品化され、側面折り込み部の折り込みや開放によって上端取出し口の開閉を行いつつ、洗剤等の収容物を繰り返し取り出して使用されている。従って、ガセット袋には、収容物を効率良く繰り返し取り出すことができると共に、取出し口部を容易且つ確実に閉塞して収容物を効果的に保存することが求められており、種々の提案がなされている。
特許文献１では、ガセット袋の正面部と側面折り込み部とが連接する立辺に沿って、塑性変形可能な縦方向線状部材を取出し口部から胴部にかけて各々取り付けることを提案している。
また、特許文献２では、ガセット袋の上端取出し口の下方に、断面段差形状保持部を側面折り込み部の折込み中心線を横切るように設けることを提案している。
さらに、特許文献３では、ガセット袋の側面折り込み部の中央部分に帯ひれ状縦リブを設けることを開示している。
しかしながら、これらの提案は、いずれも収容物を効率良く繰り返し取り出すための取出し口部の開閉性を高めるものであり、簡易な構成で保形性の高いガセット袋が求められていた。
【０００４】
【特許文献１】特開２０００−１６８７９６号公報
【特許文献２】特開２００５−１０４５６０号公報
【特許文献３】特開２００５−１０４５６１号公報
【発明の開示】
【発明が解決しようとする課題】
【０００５】
本発明は、簡易な構成であって、物流、陳列及び家庭での保管に優れる保形性の高いガセット袋を提供することを課題とする。
【課題を解決するための手段】
【０００６】
本発明は、積層フィルムからなり、正面部と、背面部と、前記正面部と前記背面部との間に内側に折り込み可能に形成された一対の側面折り込み部とからなる胴部を備え、自立させた状態で上端取り出し口を開口して収容物を取り出し可能にするガセット袋であって、前記胴部の途中領域に、略水平方向に延在する張出し片を少なくとも胴部の対向する一対の面に略水平方向に延在させて形成してなるガセット袋を提供するものである。
【発明の効果】
【０００７】
本発明により、簡易な構成であって、物流、陳列及び家庭での保管に優れる保形性の高いガセット袋を提供することができる。
【発明を実施するための最良の形態】
【０００８】
本発明のガセット袋の実施の形態について、図面を参照して説明する。図１は、本発明のガセット袋の一態様を示す模式図である。
図１に示す本発明の第１の実施態様であるガセット袋１は、正面部１１と、背面部１２（図示しない）と、正面部１１と背面部１２との間に好ましくは折込み中心線１４を基点として内側に折り込み可能に形成された一対の側面折り込み部１３とからなる胴部１０を備え、自立させた状態で上端取り出し口２１を開口して収容物を取り出し可能にするガセット袋であり、胴部１０の高さ方向の途中領域に、略水平方向に延在する張出し片３０を形成している。図１においては、正面部１１、背面部１２及び一対の側面折り込み部１３に亘って、胴部１０の全周にわたって張出し片３０を設けているが、胴部の対向する一対の面、例えば正面部１１と背面部１２に張出し片３０を設けてもよいし、一対の側面折り込み部１３に張出し片３０を設けてもよい。胴部１０の全周に張出し片３０を設けたほうが、より保形性が高まり好ましい。
本発明のガセット袋１は、粉体、粒体または液体を収容する胴部１０と、その上部に位置する開口部２０とからなり、開口部２０の上端に収容物を取り出すための上端取り出し口２１がある。張出し片３０は、胴部１０の途中領域であれば、どこでもよいが、ガセット袋１全体の保形性を高めるためには、胴部１０の上部の途中領域に張出し片３０を設けることが好ましい。張出し片３０を収容物の収納高さよりも高い位置に設けることが、収容後の保形性をより高めるために特に好ましい。
また、同様な観点から張出し片３０を基点として、開口部２０を形成することが好ましい。
図１においては、張出し片３０は、正面部１１又は背面部１２の端部で下方に折り込まれ、側面折り込み部１３に連続している。張出し片３０は、正面部１１又は背面部１２の端部で切り離され、側面折り込み部１３の張出し片３０と不連続でもよいが、図１のように連続しているほうが、ガセット袋１の剛性が高まり、保形性がさらに改良される。
【０００９】
本発明において、張出し片３０は、フィルムを折り曲げた縁部において所定幅で少なくともフィルムに連続する基部において接合させた張出し片、又は、２枚のフィルムを重ね合わせた縁部において所定幅の少なくとも基部を接合させた張出し片をいう。
図２は、１枚のフィルムを折り曲げて張出し片３０を形成する工程概略図である。１枚のフィルム１００は最内層１１０を対面させるようにして折り曲げられて、所定幅の縁部１２０が形成される。この縁部１２０を図２（Ａ）に示すように外側から挟み込んで最内層１１０の接合面を熱融着させる。例えば、図２（Ａ´）に示すようにシールバー２００で外側から挟み込んだ場合には、シールバー２００の挟み込み面の形状に沿った形状に接合された張出し片３０が形成される。
図３は、２枚のフィルムを重ね合わせて張出し片３０を形成する工程概略図である。２枚のフィルム１００ａ及び１００ｂの最内層１１０ａ（図示しない）と最内層１１０ｂとを対面させた後、図３（Ａ）に示すように縁部１２０ａ及び１２０ｂを外側から挟み込んで、最内層１１０ａ及び１１０ｂの接合面を熱融着させる。例えば、図３（Ａ´）のようにシールバー２００を用いた場合には、シールバー２００の挟み込み面の形状に沿った形状に接合された張出し片が形成される。
本発明において張出し片３０は、胴部１０の略水平方向に、少なくとも胴部の対向する一対の面に、特に全周にわたって、好ましくは２〜２０ｍｍ程度、更に好ましくは３〜１０ｍｍ程度の幅でガセット袋１の外側に形成される。
【００１０】
略水平方向に張出し片３０を形成したガセット袋１の製造方法としては、例えば、概ね長方形の１枚の積層フィルムの長手方向に沿って最内層を対面させるようにして折り曲げ、折り曲げ部分の縁部をシールバー２００で外側層から挟み込んで内側層を熱融着させ、フランジの如く外側に突出する張出し片３０を形成した積層フィルム、又は、長方形の２枚の積層フィルムの長手方向に沿う縁部の最内層を対面させるようにして重ね合わせ、重ね合わせた縁部をシールバー２００で外側層から挟み込んで熱融着させて張出し片３０を形成した積層フィルムから形成することができる。張出し片３０を形成した積層フィルムは、長手方向端部同士を接合させて胴巻き状フィルムとし、胴巻き状フィルムにおいて一対の側面折り込み部に相当する部分を内側に折り込み平たい状態とし、平たい胴巻き状フィルムの上端又は下端を外側層から挟み込んで熱融着させることによってガセット袋１が形成される。尚、ガセット袋１を形成する胴巻き状フィルムは、複数枚の積層フィルムから形成することも可能であって、例えば、１枚の積層フィルムの途中領域において最内層を対面させるようにして折り曲げ、折り曲げ部分の縁部をシールバー２００で外側層から挟み込んで熱融着させた張出し片３０を形成した積層フィルムと、張出し片３０が形成されていない積層フィルムの端部（張出し片３０に概ね直交する端部）同士を接合させて、組み合わせることによって胴巻き状フィルムを形成させた場合には、張出し片３０を胴部の対向する一対の面に形成することができる。
【００１１】
図４は、本発明のガセット袋１の他の一態様を示す模式図である。図４に示す本発明の第２の実施態様であるガセット袋１は、図１と同様に、正面部１１と、背面部１２（図示しない）と、正面部１１と背面部１２との間に内側に好ましくは折込み中心線１４を基点として折り込み可能に形成された一対の側面折り込み部１３とからなる胴部１０を備え、自立させた状態で上端取り出し口２１を開口して収容物を取り出し可能にするガセット袋であり、胴部１０の一対の側面折り込み部１３の高さ方向の途中領域に、略水平方向に延在する張出し片３０を形成している。これにより、側面折り込み部１３の剛性が高まり、胴部１０が潰れにくくなる。また、側面折り込み部１３の形状が平面状に整うのでガセット袋１の外観性も向上する。
【００１２】
図５は、本発明のガセット袋１の他の一態様を示す模式図である。図５に示す本発明の第３の実施態様であるガセット袋１は、図１及び４と同様に、正面部１１と、背面部１２（図示しない）と、正面部１１と背面部１２との間に内側に好ましくは折込み中心線１４を基点として折り込み可能に形成された一対の側面折り込み部１３とからなる胴部１０を備え、自立させた状態で上端取り出し口２１を開口して収容物を取り出し可能にするガセット袋であり、胴部１０の正面部１１と背面部１２の高さ方向の途中領域に、略水平方向に延在する張出し片３０を形成している。これにより、胴部１０の正面部１１と背面部１２の剛性が高まり、胴部１０が潰れにくくなる。
【００１３】
本発明のガセット袋１の胴部１０の少なくとも対向する一対の面に略水平方向に延在する張出し片３０を設けると、上述のように、ガセット袋１の剛性が高まり、保形性が改良され、家庭での保管性が改善されるばかりでなく、ガセット袋１を直方体形状に形成できるので、ガセット袋１の外観も改善され、物流や陳列をよりコンパクトに整列して行うことができる。
【００１４】
本発明のガセット袋１は積層フィルムからなる。積層フィルムとしては、アルミ箔層及び／又は紙層を含む多層シートが用いられており、好ましくは、最外層がポリエステル、中間層にアルミ箔層及び／又は紙層、最内層をポリエチレン層とする３層以上の多層シートを用いることが可能であって、例えば最外層である第１層がポリエステル、第２層がポリエチレン、第３層がアルミ箔又は紙、第４層がポリエチレン、最内層である第５層がシーラント層からなる５層構造の多層シート、又は最外層である第１層がポリエチレンテレフタレート、第２層がポリエチレン、第３層が紙、第４層がポリエチレン、第５層がアルミ箔、第６層がシーラント層からなる６層構造の多層シートを用いることができる。また多層シートにおけるアルミ箔層の厚さは、５〜５０μｍとすることが好ましく、５〜２０μｍとすることがさらに好ましい。紙層は、坪量２００g／ｍ2以下とすることが好ましくは、坪量１００g／ｍ2以下とすることがさらに好ましい。尚、紙層の坪量は１５g／ｍ2以上とすることが好ましい。シート材料２２としてアルミ箔層及び／又は紙層を含む多層シートを用いることにより、再封（リシール）する際の折り曲げ作業を容易にすることができ、さらに、袋にしわ等が発生し難くなってガセット袋１０の外観を良好に保持することが可能になる。特に、アルミ箔層は防湿性が高いので、収容物の保管性、品質保全性に優れる。
【００１５】
また、本発明のガセット袋１は、張出し片３０によって分割されるガセット袋１の開口部２０側と胴部１０の底部側において、積層フィルムの材質を異なるものとすることが好ましい。例えば、開口部２０側に塑性変形性のあるアルミ箔層又は紙層を中間層とする上述の積層フィルムを用いて収容物の取り出し易さ及び上端取り出し口２１の繰り返し開閉性を高め、かつ胴部１０の底部側に低密度ポリエチレン（ＬＤＰＥ）、直鎖状低密度ポリエチレン（ＬＬＤＰＥ）、高密度ポリエチレン（ＨＤＰＥ）、無延伸ポリプロピレンフィルム（ＣＰＰ）等の合成樹脂のみからなる単層又は積層フィルムを用いることにより、ガセット袋１の強度、特に落下強度を高めると共に、耐水性を良好にして保存安定性を高め、ガセット袋１の開口部再封性と、耐水性及び強度向上とを低コストで両立できるので好ましい。
【００１６】
胴部１０の底部側に用いる合成樹脂のみからなる積層フィルムとしては、例えば最外層として、ポリエチレンテレフタレート（ＰＥＴ）、ナイロン（Ｎｙ）、セロハン（ＰＴ）、防湿セロハン（ＭＳＴ）、延伸ポリプロピレン（ＯＰＰ）等を用いることが可能で、最内層としては、ＬＤＰＥ、ＬＬＤＰＥ，中密度ポリエチレン（ＭＤＰＥ）、ＨＤＰＥ、ＣＰＰ、エチレン酢酸ビニル（ＥＶＡ）、アイオノマー樹脂等を用いることが可能で、中間層としては、ＰＥＴ、Ｎｙ、ポリプロピレン（ＰＰ、ＯＰＰ、ＣＰＰ）、ポリエチレン（ＰＥ、ＬＤＰＥ、ＬＬＤＰＥ、ＭＤＰＥ、ＨＤＰＥ）、ポリスチレン（ＰＳ）、ポリ塩化ビニル（ＰＶＣ）、ポリ塩化ビニリデン（ＰＶＤＣ）、エチレンビニルアルコール共重合体（ＥＶＯＨ）、ポリビニルアルコール共重合体（ＰＶＡ）、ポリカーボネート（ＰＣ）、ＥＶＡ、アイオノマー樹脂、ＰＴ、ＭＳＴ等の中から選択する１又は２以上の樹脂を用いることができる。例えば、最外層がポリエステル層、中間層がナイロン層、最内層がＬＬＤＰＥからなる３層構造の多層シートが挙げられる。
【産業上の利用可能性】
【００１７】
本発明のガセット袋は、食品、洗剤、ヘアケア製品、化粧品又はトイレタリー品等の各種粉体、粒体もしくは液体又はそれらの混合物、高粘性流動物あるいは固形物を収容するガセット袋として好適に用いられる。
【図面の簡単な説明】
【００１８】
【図１】本発明のガセット袋の一態様を示す模式図である。
【図２】１枚のフィルムを折り曲げて張出し片を形成する工程概略図である。
【図３】２枚のフィルムを重ね合わせて張出し片を形成する工程概略図である。
【図４】本発明のガセット袋の他の一態様を示す模式図である。
【図５】本発明のガセット袋の他の一態様を示す模式図である。
【符号の説明】
【００１９】
１：ガセット袋
１０：胴部
１１：正面部
１２：背面部
１３：側面折り込み部
１４：折込み中心線
２０：開口部
２１：上端取り出し口
３０：張出し片
１００、１００ａ、１００ｂ：フィルム
１１０、１１０ａ、１１０ｂ：最内層
１２０、１２０ａ、１２０ｂ：縁部
２００：シールバー
【図１】
2008068913.tif 000003
【図２】
2008068913.tif 000004
【図３】
2008068913.tif 000005
【図４】
2008068913.tif 000006
【図５】
2008068913.tif 000007